(57)【要約】      （修正有）【課題】回転方向制動機能を備える転落防止具を提供する。【解決手段】本体１はブラケットを設け、ブラケットの一方の側は並列して第１ローラー１４と第２ローラー１５を枢接し、巻取り装置２はブラケットに枢接する巻取り輪２１を設け、巻取り輪２１は安全ベルト２２を繞設された巻取り部を設け、巻取り部上下２つの側は第１制限ディスク２１２と第２制限ディスクをそれぞれ連接し、第２制限ディスクの外側の縁部は伝動リング２３を嵌装し、伝動リング２３外側の表面は第１爪車を凸設し、第１制限ディスク２１２の表面は固定溝の固定部を凸設し、制動装置３は揺動具と伝動具と連稈と制動具を設け、揺動具は第２制限ディスクの表面に枢接され、制動具は第１制限ディスク２１２付近部の側方向に設けられ、安全ベルトが本体を抜き出すときの瞬間速度が一定値に達したとき、揺動具は伝動リング２３を押し進むと同時に、伝動具及び連稈によって、制動具を固定部の固定溝内部において、ロック状態を形成する。【選択図】図２
0003176686.tif 000002
【実用新案登録請求の範囲】
【請求項１】
本体と、巻取り装置と、制動装置と、を備える、転落防止具の制動装置であって、
本体は、上部ケースと、下部ケースと、を組合せられ、前記上部ケースと前記下部ケースとの間にはブラケットが設けられ、前記ブラケットは上部支え部と、下部支え部と、を設け、前記上部支え部と、前記下部支え部の一方の側の間は並列して第１ローラーと第２ローラーが枢接され、
前記巻取り装置は巻取り輪を設け、前記巻取り輪は巻取り部を有し、前記巻取り部は安全ベルトを繞設され、前記安全ベルトの末端部は前記第１ローラーと前記第２ローラーの間から前記本体を貫いて、前記巻取り部上下二つの側はそれぞれ第１制限ディスクと、第２制限ディスクを連接していて、かつ前記第１制限ディスクと前記第２制限ディスクの表面はそれぞれ回転軸を設け、２つの前記回転軸はそれぞれ前記ブラケットの前記上部支え部と前記下部支え部に枢接され、前記第２制限ディスク外側の縁部には伝動リングが嵌装され、前記伝動リング内側の表面には伝動溝が凹設され、前記伝動リング外側の表面は第１爪車を凸設され、前記第１制限ディスクの表面は固定部を凸設され、前記固定部側辺の表面はリング状で間隔を置いて複数の固定溝が凹設されており、
前記制動装置は、揺動具と、伝動具と、連稈と、制動具と、を設け、前記揺動具の２つの側はそれぞれ枢接部と、係止部を設け、前記枢接部は前記第２制限ディスクの表面に枢接していて、かつ前記枢接部と前記第２制限ディスクとの間には第１弾性素子が設けられ、前記第１弾性素子の弾性受け持ち力によって、前記揺動具の前記係止部を押し当て、前記第２制限ディスクの内部に傾け、前記伝動具は第１基部を設け、前記第１基部は前記第２ローラーが前記第２制限ディスク付近の横方向に枢接され、かつ前記第１基部は、それぞれ第２爪車と第１連接部を設け、前記第２爪車は前記第１爪車に歯合され、前記制動具は第２基部を設け、前記第２基部は前記第１ローラーが前記第１制限ディスク付近の横方向に枢接され、前記第２基部の両側はそれぞれ制動部と、第２連接部を設け、前記制動部は、前記固定部の一つの側に延ばされ、前記連稈の両端部はそれぞれ前記第１連接部と、前記第２連接部に連接され、前記第２連接部と前記上部支え部との間は第２弾性素子が連接され、前記第２弾性素子の弾性付勢力によって、前記第２連接部を牽引することによって、前記制動部を前記固定部の遠端方向に傾けることを特徴とする、
回転方向制動機能を備える転落防止具。
【請求項２】
前記巻取り装置は、前記巻取り輪の前記第２制限ディスクの表面において、順を追って、蓋板と、コイルばねと、制限蓋と、を設け、前記蓋板と前記制限蓋は前記巻取り輪に追随して回転し、前記コイルばねは前記巻取り輪が回転するときに弾性変形を引き起して、弾性戻り力量を有することを特徴とする、請求項１記載の回転方向制動機能を備える転落防止具。
【請求項３】
前記転落防止具は張力緩和装置を更に有し、前記張力緩和装置はプッシュスイッチと制限具を設け、前記プッシュスイッチはベースを設けられた一つの側に押しボタンを設け、もう一方の側は押し込みピンを設け、前記押しボタンは２回の押圧によって、前記押し込みピンを前記ベースより延ばすか又は引き込みの循環を形成され、前記ベースは前記下部ケースの一方の側に固定することによって、前記押しボタンを前記下部ケースより露出させ、前記制限具は前記第２ローラーが前記第２制限ディスク付近部横方向の第３基部を設けられ、前記第３基部の両側はそれぞれ係着部と、押し込み部と、を設け、前記係着部と前記押し込み部は前記下部支え部との間に第３弾性素子を設け、前記第３弾性素子の弾性力量によって、前記係着部を押し込み、前記係着部を前記第２制限ディスクの横に傾け、前記巻取り装置は前記巻取り輪に備える前記第２制限ディスクの表面は前記巻取り輪に追随して回転する制限蓋を設けられ、前記制限蓋の周縁は間隔置きに複数の制限溝を設けることによって、前記係着部を前記制限溝の内部に係着させる、前記押し込みピンが前記ベースからの倍したとき、前記押し込みピンが前記押し込み部を押し込み、前記係着部を前記第２制限ディスクの遠端方向に傾けて、前記係着部を前記制限溝より引き離すことを特徴とする、請求項１記載の回転方向制動機能を備える転落防止具。
【考案の詳細な説明】
【技術分野】
【０００１】
本考案は回転方向制動機能を備える転落防止具に関し、特に回転方向の制動によって、空間を増やし構造強度を大幅に引き上げて、瞬間の衝撃によって破損されない転落防止具に関する。
【背景技術】
【０００２】
不用意の転落事故を防止するため、高所での活動または作業に従事する者の転倒または転落を防止するため、すべては転落防止具を使用されている。転落防止具は主に巻き取り装置を利用し巻取り軸によって、安全ベルトの解放または巻き取りを制御することにより、安全ベルトの伸縮目的を達成すると同時に、制動装置を利用し安全ベルトによって、巻取り軸を回転連動し、巻取り軸の瞬間速度が所定値に達したときに、巻取り軸の回転に制限をかける。
【考案の概要】
【考案が解決しようとする課題】
【０００３】
しかし、従来のブレーキ装置は主に巻取り軸が回転するときの遠心力を利用し揺動具を外側に傾けて、周りの爪車に係合させ、制動効果を達成する。しかし、この種の方式は以下の欠点を有する。
【０００４】
イ、揺動具が爪車に進入したとき、巻取り軸の回転力量は、揺動具と爪車に傾いた瞬間すべてを爪車に作用し、極めて大きい摩擦力を引き起すため、揺動具が爪車と完全に係合されない状態で傾きが停止され、係合の不安定を形成する。そして、回転力量が大きすぎるとき、揺動具が爪車で滑りを発生し、搭載された人員は引き続きに転落される。
【０００５】
ロ、揺動具と揺動具に枢接された軸は体積と構造設計の制限により、体積をあまり大きくすることはできないため、構造強度が弱い。
【課題を解決するための手段】
【０００６】
本考案の主な目的は回転方向制動機能を利用し、制動装置の使用空間を増やすと共に、制動装置の構造強度を大幅に引き上げて、週間の衝撃力によって破損する恐れがなく、もって、使用者の安全を一層に確保できる。
【０００７】
前述の目的を達成するため、本考案の転落防止具は、本体と、巻取り装置と、制動装置と、を備える。本体はブラケットを設けられ、ブラケット一つの側は並列して第１ローラーと、第２ローラーと、を枢接され、巻取り装置はブラケットに枢接する巻取り輪を設けられ、巻取り輪は安全ベルトを繞設された巻取り部を設けられ、巻取り部の上下２つの側は第１制限ディスクと、第２制限ディスクとそれぞれ連接され、第２制限ディスクの外側の縁部は伝動リングを嵌装され、伝動リング外側の表面は第１爪車を凸設され、第１制限ディスクの表面は固定溝の固定部を凸設され、制動装置は揺動具と、伝動具と、連稈と、制動具と、を設けられ、揺動具は第２制限ディスクの表面に枢接され、制動具は第１制限ディスク付近部の側方向に設けられ、安全ベルトが本体を抜き出す瞬間速度が一定値に達したとき、揺動具は伝動リングを押し進むと同時に、伝動具及び連稈によって、制動具を固定部の固定溝内部において、ロック状態を形成する。
【考案の効果】
【０００８】
以下説明の通り、本考案は公知技術の不足点と欠点を解決できるほか、効果が増強される主な技術手段は、以下のとおりである。
【０００９】
イ、             本考案は揺動具３１と制動具３４をそれぞれ巻取り輪２１の異なる横方向に設けることによって、制動装置３の使用空間を増やし、制動装置３の構造強度を大幅向上でき、瞬間の衝撃力によって、破損する恐れはなく、使用者の安全を確保できる。
【００１０】
ロ、             本考案の張力緩和装置４は安全ベルト２２を所定の長さに固定して、使用者の使用に便利することができる。さらに、張力緩和装置４と制動装置３は分離して設置することによって、巻取り装置２を変更しない前提において、簡単便利に張力緩和装置４を取り付けることができる。さらに、張力緩和装置４は２回の押圧によって、一つのサイクルに設計され、安全ベルト２２は本体１より引き出せないまたは自由に引き出せる状態に設定でき、使用者が便利に使用できる。
【図面の簡単な説明】
【００１１】
【図１】本考案の立体外観図である。
【図２】本考案の局所分解立体外観図（その１）である。
【図３】本考の構成品局所の上面図である。
【図４】本考案の制限具の立体外観図である。
【図５】本考案の巻取り装置と制動装置の立体外観図である。
【図６】本考案の局所分解立体外観図（その２）である。
【図７】本考案の局所分解立体外観図（その３）である。
【図８】本考案の制動装置の動作態様図（その１）である。
【図９】本考案の制動装置の動作態様図（その２）である。
【図１０】本考案の制動装置の動作態様図（その３）である。
【図１１】本考案の制動装置の動作態様図（その４）である。
【図１２】本考案の張力緩和装置の動作態様図（その１）である。
【図１３】本考案の張力緩和装置の動作態様図（その２）である。
【考案を実施するための形態】
【００１２】
以下、添付図面を参照して本考案の実施の形態を詳細に説明する。
【実施例】
【００１３】
図１ないし図７及び図９を参照し、これらの図から明かのように、本考案の転落防止具１０は、本体１、巻き取り装置２、制動装置３と、引き出し防止装置４と、を備える。
【００１４】
そのうち、本体１は、上部ケース１１と、下部ケース１２と、が組合せられ、上部ケース１１と下部ケース１２との間にはブラケット１３が設けられ、ブラケット１３は上部支え部１３１と下部支え部１３２を設け、上部支え部１３１と下部支え部１３２の一方の側には、第１ローラー１４と第２ローラー１５が並列に枢接されている。
【００１５】
上記巻取り装置２は巻取り輪２１を設け、巻取り輪２１は巻取り部２１１を設け、巻取り部２１１は安全ベルト２２を繞設し、安全ベルト２２の末端部は、第１ローラー１４と第２ローラー１５の間を経由して、本体１を貫く。巻取り部２１１の上下２つの側はそれぞれ第１制限ディスク２１２と、第２制限ディスク２１３と、を連接していて、かつ第１制限ディスク２１２と第２制限ディスク２１３の表面はそれぞれ回転軸２１４を設け、２つの回転軸２１４はそれぞれブラケット１３の上部支え部１３１と下部支え部１３２に枢接されている。さらに、第２制限ディスク２１３の外側の縁は伝動リング２３を嵌装され、伝動リング２３の内側の表面は伝動溝２３１を凹設され、伝動溝２３の外側の表面には第１爪車２３２が設けられている。第１制限ディスク２１２の表面は固定部２４を凸設し、固定部２４の側面の表面には輪状に間隔を置いて複数の固定溝２４１が設けられている。而巻取り輪２１の第２制限ディスク２１３の表面には、順を追って蓋板２５、コイルばね２６と、制限蓋２７と、が設けられ、制限蓋２７の周縁には間隔を置いて複数の制限溝２７１が設けられ、蓋板２５と制限蓋２７は、巻取り輪２１に追随して回転することができ、コイルばね２６は巻取り輪２１が回転するときに変形を引き起して、弾性戻り能力を有する。
【００１６】
上記制動装置３は、揺動具３１と、伝動具３２と、連稈３３と、制動具３４と、を有する。揺動具３１の両側にはそれぞれ枢接部３１１と、係止部３１２が設けられ、枢接部３１１は第２制限ディスク２１３の表面に枢接していて、かつ枢接部３１１と第２制限ディスク２１３との間には第１弾性素子３１３が設けられ、第１弾性素子３１３の弾性受け持ち力によって、揺動具３１の係合部３１２に係止して、第２制限ディスク２１３に傾ける。伝動具３２は第１基部３２１を設け、第１基部３２１は第２ローラー１５を第２制限ディスク２１３付近部の横に設けていて、かつ第１基部３２１の両側にはそれぞれ第２爪車３２２と第１連接部３２３が設けられ、第２爪車３２２は第１爪車２３２に歯合され、制動具３４は第２基部３４１を設けられ、第２基部３４１は第１ローラー１４が第１制限ディスク２１２の横に設け、かつ第２基部３４１の両側にはそれぞれ制動部３４２と、第２連接部３４３が設けられ、制動部３４２は固定部２４一方の側に延在していて、連稈３３の両端部はそれぞれ第１連接部３２３と第２連接部３４３を設け、かつ第２連接部３４３は上部支え部１３１との間に第２弾性素子３４４を設け、第２弾性素子３４４の弾性付勢力によって、第２連接部３４３を引っ張ることによって、制動部３４２を固定部２４の横方向に傾ける。
【００１７】
張力緩和装置４はプッシュスイッチ４１と制限具４２を設け、プッシュスイッチ４１はベース４１１を備える一方の側に押しボタン４１２を設け、もう一方の側は押し込みピン４１３を設けている。かつ、押しボタン４１２は２回の押圧によって、押し込みピン４１３をベース４１１に延ばすか又は引き込み、循環動作を形成する。さらに、ベース４１１は下部ケース１２一方の側に固定することによって、押しボタン４１２は下部ケース１２に露出される。制限具４２は第２ローラー１５が第２制限ディスク２１３付近部横の第３基部４２１に枢接され、第３基部４２１の両側はそれぞれ係着部４２２と、押し込み部４２３を設け、係着部４２２と下部支え部１３２の間には第３弾性素子４２４が設けられ、第３弾性素子４２４の弾性付勢力によって係着部４２２を押し込み、係着部４２２を第２制限ディスク２１３の横に傾ける。
【００１８】
図１、図２、図５、図８と図９を参照する。図から明らかなように、正常な使用状況において、安全ベルト２２はゆるやかな速度により本体１から引き出され、巻取り輪２１は追随して回転し、揺動具３１は巻取り輪２１に追随して回転する。揺動具３１の枢接部３１１は第２制限ディスク２１３の表面に枢接されているため、揺動具３１の回転による遠心力は揺動具３１の係止部３１２に傾く力量を形成する。第１弾性素子３１３の両端部はそれぞれ枢接部３１１と、第２制限ディスク２１３との間に連接されているため、第１弾性素子３１３の弾性受け持ち力によって、揺動具３１の係止部３１２を第２制限ディスク２１３の内部に向かって傾ける。一方、巻取り輪２１がゆるやかな速度で回転したとき、揺動具３１が形成する傾き力量は第１弾性素子３１３の弾性変形には不足しているため、揺動具３１の係止部３１２と揺動リング２３内側表面の伝動溝２３１は隙間を形成し、安全ベルト２２を順調に本体１より引き出すことができる。さらに、安全ベルト２２を本体１に引き出したとき、巻取り輪２１はコイルばね２６を連動して弾性曲げを形成して、弾性戻り能力を有する。この弾性戻り力量は、安全ベルト２２を本体１に収納するとき、巻取り輪２１を連動して、逆転巻取りによって、安全ベルト２２を本体１の内部に巻き込むことができる。
【００１９】
図１、図２、図５、図９、図１０と図１１を参照する。図から明らかなように、安全ベルト２２を本体から引き出すときの瞬間速度が所定値に達したとき、揺動具３１が形成する傾き力量は第１弾性素子３１３の弾性変形力量より大きく、揺動具３１の係止部３１２は伝動リング２３の伝動溝２３１に向かって傾き係止部３１２が伝動溝２３１に入った後、係止部３１２が伝動リング２３を連動し枢転させ、伝動リング２３の第１爪車２３２が伝動具３２の第２爪車３２２を連動し、伝動具３２を枢転さると共に、連稈３３を介して、伝動具３２が枢転するときに、伝動具３２の第１連接部３２３によって、制動具３４の第２連接部３４３を連動して移動させ、制動具３４を第２基部３４１に追随して枢転させ、制動部３４２を固定部２４の固定溝２４１の内部に進入してロック状態を形成する。
【００２０】
図３、図１２と図１３を参照する。図から明らかなように、正常な使用状況において、プッシュスイッチ４１の押しボタン４１２を押すことによって、押し込みピン４１３はベース４１１より延ばして、制限具４２の押し込み部４２３を押し込み、制限具４２を第２制限ディスク２１３の横に傾きさせ、係着部４２２を制限溝２７１より引き離す。このとき、安全ベルト２２は自由に本体１より引き出しまたは本体１に収容することができる。再び押しボタン４１２を押したとき、押し込みピン４１３はベース４１１に引き込み、制限具４２の押し込み部４２３が押し込みピン４１３の受け持ち力量を失われる。第３弾性素子４２４を介して、係着部４２２を押し込み、係着部４２２を第２制限ディスク２１３の横方向に傾けて、制限蓋２７の制限溝２７１の内部に係着することによって、安全ベルト２２を本体１から引き出すことはできない。
【符号の説明】
【００２１】
１０      転落防止具
１        本体
１１      上部ケース
１２      下部ケース
１３      ブラケット
１３１    上部支え部
１３２    下部支え部
１４      第１ローラー
１５      第２ローラー
２        巻取り装置
２１      巻取り輪
２１１  巻取り部
２１２  第１制限ディスク
２１３  第２制限ディスク
２１４  回転軸
２２    安全ベルト
２３    伝動リング
２３１  伝動溝
２３２  第１爪車
２４    固定部
２４１  固定溝
２５    蓋板
２６    コイルばね
２７    制限蓋
２７１  制限溝
３      制動装置
３１    揺動具
３１１  枢接部
３１２  係止部
３１３  第１弾性素子
３２    伝動具
３２１  第１基部
３２２  第２爪車
３２３  第１連接部
３３    連稈
３４    制動具
３４１  第２基部
３４２  制動部
３４３  第２連接部
３４４  第２弾性素子
４      張力緩和装置
４１    プッシュスイッチ
４１１  ベース
４１２  押しボタン
４１３  押し込みピン
４２    制限具
４２１  第３基部
４２２  係着部
４２３  押し込み部
４２４  第３弾性素子
【図１】
0003176686.tif 000003
【図２】
0003176686.tif 000004
【図３】
0003176686.tif 000005
【図４】
0003176686.tif 000006
【図５】
0003176686.tif 000007
【図６】
0003176686.tif 000008
【図７】
0003176686.tif 000009
【図８】
0003176686.tif 000010
【図９】
0003176686.tif 000011
【図１０】
0003176686.tif 000012
【図１１】
0003176686.tif 000013
【図１２】
0003176686.tif 000014
【図１３】
0003176686.tif 000015